(57)【要約】本発明は、第１の側および対向する第２の側を有し、かつ光に影響を及ぼす特性を有する、少なくとも１つのポリマー層と、少なくとも、ポリマー層の第２の側の周辺ゾーン上に適用される、低粘着性感圧式接着層とを含む、多層体験用光学デバイスを提供する。本体験用光学デバイスは、光学レンズに可逆的に接着性である。一実施形態において、体験用光学デバイスは、光学レンズの外側に可逆的に添着されるように定寸および成形され、体験用光学デバイスは、側頭部周辺ゾーンおよび鼻周辺ゾーンを有し、低粘着性感圧式接着剤が、側頭部周辺ゾーンおよび鼻周辺ゾーンの両方に配置される。
2016511842.tif 000002
【特許請求の範囲】
【請求項１】
多層体験用光学デバイスであって、
（ａ）第１の側および対向する第２の側を有する、第１のポリマー層と、
（ｂ）（ａ）の第２の側に隣接して光に影響を及ぼす特性を有する、少なくとも１つの層と、
（ｃ）前記第１のポリマー層（ａ）と同一または異なり、第１の側および対向する第２の側を有し、前記第１の側は、前記層（ｂ）に隣接する、第２のポリマー層と、
（ｄ）少なくとも、（ｃ）の第２の側の周辺ゾーン上に配置される、低粘着性感圧式接着剤と、
を備え、
前記体験用光学デバイスは、光学レンズに可逆的に接着性である、デバイス。
【請求項２】
前記体験用光学デバイスは、光学レンズの外側に可逆的に添着されるように定寸および成形される、請求項１に記載の体験用光学デバイス。
【請求項３】
前記体験用光学デバイスは、側頭部周辺ゾーンおよび鼻周辺ゾーンを有し、低粘着性感圧式接着剤（ｄ）は、前記側頭部周辺ゾーンおよび前記鼻周辺ゾーンの両方に配置される、請求項２に記載の体験用光学デバイス。
【請求項４】
低粘着性感圧式接着剤（ｄ）に可逆的に接着性である可撤性ライナをさらに備える、請求項１に記載の体験用光学デバイス。
【請求項５】
前記第１のポリマー層（ａ）および／または第２のポリマー層（ｃ）は、ポリアミド、ポリ（アミドエーテル）ブロックコポリマー、ポリ（エステル−エーテル）ブロックコポリマー、ポリカーボネート、多環式アルケン、ポリウレタン、ポリ（尿素）ウレタン、ポリチオウレタン、ポリチオ（尿素）ウレタン、ポリオール（アリルカーボネート）、酢酸セルロース、二酢酸セルロース、三酢酸セルロース、酢酸プロピオン酸セルロース、酢酸酪酸セルロース、ポリ（酢酸ビニル）、ポリ（ビニルアルコール）、ポリ（塩化ビニル）、ポリ（塩化ビニリデン）、ポリ（エチレンテレフタレート）、ポリエステル、ポリスルホン、ポリオレフィン、そのコポリマー、またはそれらの混合物を含む、請求項１に記載の体験用光学デバイス。
【請求項６】
前記光に影響を及ぼす特性（ｂ）を有する少なくとも１つの層は、フォトクロミック材料を含む、請求項１に記載の体験用光学デバイス。
【請求項７】
前記光に影響を及ぼす特性（ｂ）を有する少なくとも１つの層は、フォトクロミック二色性材料を含む、請求項１に記載の体験用光学デバイス。
【請求項８】
層（ａ）と（ｂ）との間または層（ｂ）と（ｃ）との間に介在される線形偏光層をさらに備え、低粘着性感圧式接着剤（ｄ）は、ポリビニルエーテル接着剤、アクリル接着剤、ポリアルファオレフィン接着剤、および／またはシリコーン接着剤を含む、請求項６に記載の体験用光学デバイス。
【請求項９】
多層体験用光学デバイスであって、
第１の側および対向する第２の側を有し、かつ光に影響を及ぼす特性を有する、少なくとも１つのポリマー層と、
少なくとも、前記ポリマー層の第２の側の周辺ゾーン上に配置される、低粘着性感圧式接着層と、
を備え、
前記体験用光学デバイスは、光学レンズに可逆的に接着性である、デバイス。
【請求項１０】
多層体験用光学デバイスであって、
Ａ．第１の側および対向する第２の側を有する、第１のポリマー層と、
Ｂ．前記第１のポリマー層（Ａ）と同一または異なり、かつ第１の側および対向する第２の側を有し、層（Ｂ）の第１の側は、前記層（Ａ）の第２の側に隣接する、少なくとも１つの第２のポリマー層と、
Ｃ．随意に、前記第１のポリマー層（Ａ）と前記第２のポリマー層（Ｂ）との間に介在される、接着層と、
Ｄ．少なくとも、前記ポリマー層（Ｂ）の第２の側の周辺ゾーン上に配置される、低粘着性感圧式接着層と、
を備え、
前記層（Ａ）、（Ｂ）、および（Ｃ）のうちの少なくとも１つは、光に影響を及ぼす特性を有し、
前記体験用光学デバイスは、光学レンズに可逆的に接着性である、デバイス。
【発明の詳細な説明】
【技術分野】
【０００１】
（関連出願の引用）
本願は、２０１３年２月２０日に出願された米国仮出願第６１／７６６，９７８号の優先権の利益を主張するものであり、その全体は、本明細書中に参照により援用される。
【０００２】
本発明は、光学レンズに可逆的に接着性である、多層体験用光学デバイスに関する。
【背景技術】
【０００３】
眼鏡用レンズ等の矯正用アイウェアは、フォトクロミズム、偏光、固定色素、および同等物等、種々の随意の機能性とともに利用可能である。これらの随意の機能性は、例えば、損傷を及ぼす放射または過剰なグレアから眼を保護する役割を果たす。加えて、随意の機能性の種々の組み合わせもまた、可能性として考えられる。これらの特徴は、多くの場合、レンズ自体の製造または加工のいずれかの間、光学レンズの中に組み込まれる。フォトクロミックレンズの製造の際、フォトクロミック染料が、レンズ材料の中に、積層層の中に、オーバーモールド層として、またはレンズコーティングの中に組み込まれてもよい。同様に、偏光機能性は、レンズ材料内の積層層を介して、またはオーバーモールド層として、組み込まれてもよい。米国特許第７，２５６，９２１号（特許文献１）は、フォトクロミズムおよび二色性の両方が化学線によって誘発され得るプロセスについて説明している。複雑かつ高価な処理を伴うため、これらの随意の機能性は、有意なコストを眼鏡装着者に追加し得る。
【０００４】
第ＷＯ２０１３／００６１５３号（特許文献２）は、一時的に、クリアレンズをフォトクロミックレンズに変換する、光学パッチについて説明している。パッチは、眼科用レンズの表面に適応されることができる。本プロセスは、パッチがレンズ表面に適応することを可能にするために、潤滑剤、熱を用いた、または長時間かけた処理を要求する。空気の取り込み等の光学不規則性を回避するように配慮されなければならない。パッチは、フォトクロミズムに機能性が限定される。
【０００５】
デバイスを容易に適用し、眼鏡用装着者に、購入に先立って、視野の品質に関して、光に影響を及ぼす特性を含む、種々の利用可能な随意の機能性の利点を実証するための必要性が残る。
【先行技術文献】
【特許文献】
【０００６】
【特許文献１】米国特許第７，２５６，９２１号明細書
【特許文献２】国際公開第２０１３／００６１５３号
【発明の概要】
【課題を解決するための手段】
【０００７】
本発明は、多層体験用光学デバイスであって、（ａ）第１の側および対向する第２の側を有する、第１のポリマー層と、（ｂ）（ａ）の第２の側に隣接して［光に影響を及ぼす特性］を有する、少なくとも１つの層と、（ｃ）第１のポリマー層（ａ）と同一または異なり、第１の側および対向する第２の側を有し、第１の側は、層（ｂ）に隣接する、第２のポリマー層と、（ｄ）少なくとも、（ｃ）の第２の側の周辺ゾーン上に配置される、低粘着性感圧式接着剤とを含む、デバイスを対象とする。体験用光学デバイスは、光学レンズに可逆的に接着性である。
【０００８】
さらに、本発明は、多層体験用光学デバイスであって、第１の側および対向する第２の側を有し、かつ光に影響を及ぼす特性を有する、少なくとも１つのポリマー層と、少なくとも、ポリマー層の第２の側の周辺ゾーン上に配置される、低粘着性感圧式接着層とを備える、デバイスを提供する。体験用光学デバイスは、光学レンズに可逆的に接着性である。
【０００９】
加えて、本発明は、多層体験用光学デバイスであって、（Ａ）第１の側および対向する第２の側を有する、第１のポリマー層と、（Ｂ）第１のポリマー層（Ａ）と同一または異なり、かつ第１の側および対向する第２の側を有し、層（Ｂ）の第１の側は、層（Ａ）の第２の側に隣接する、少なくとも１つの第２のポリマー層と、（Ｃ）随意に、第１のポリマー層（Ａ）と第２のポリマー層（Ｂ）との間に介在される、接着層と、（Ｄ）少なくとも、ポリマー層の第２の側（Ｂ）の周辺ゾーン上に配置される、低粘着性感圧式接着層とを含む、デバイスを対象とする。層（Ａ）、（Ｂ）、および（Ｃ）のうちの少なくとも１つは、光に影響を及ぼす特性を有し、体験用光学デバイスは、光学レンズに可逆的に接着性である。
【図面の簡単な説明】
【００１０】
【図１】図１は、本発明のいくつかの実施形態を表す、多層体験用光学デバイスの概略分解図である。
【図２】図２は、エンドユーザに提供され得る、本発明の一実施形態の代表的図である。図１および２では、類似文字は、別様に記載されない限り、場合によって、同一の構造特徴および／または構成要素を指す。
【発明を実施するための形態】
【００１１】
本明細書に開示される種々の非限定的実施形態は、多層体験用光学デバイスに関する。例えば、一実施形態では、該体験用デバイスは、（ａ）第１の側および対向する第２の側を有する、第１のポリマー層と、（ｂ）（ａ）の第２の側に隣接して光に影響を及ぼす特性を有する、少なくとも１つの層と、（ｃ）第１のポリマー層（ａ）と同一または異なり、第１の側および対向する第２の側を有し、第１の側は、層（ｂ）に隣接する、第２のポリマー層と、（ｄ）少なくとも、（ｃ）の第２の側の周辺ゾーン上に配置される、低粘着性感圧式接着剤とを備え、体験用光学デバイスは、光学レンズに可逆的に接着性である。
【００１２】
本明細書および添付の特許請求の範囲において使用される場合、冠詞「ａ」、「ａｎ」、および「ｔｈｅ」は、明確かつ明白に１つの指示物に限定されない限り、複数の指示物を含む。
【００１３】
加えて、本明細書の目的の場合、別様に示されない限り、本明細書中で使用される成分量、反応条件、ならびに他の特性もしくはパラメータを表す全ての数字は、全ての場合において、用語「約」によって修飾されていると理解されるべきである。故に、別様に示されない限り、以下の明細書および添付の特許請求の範囲に示される数値パラメータは、近似値であることが理解されるはずである。少なくとも、特許請求の範囲に対する均等論の適用を制限する企図としてではなく、数値パラメータは、報告された有効数字の数および通常の丸めの技術の適用に鑑みて読み取られるべきである。
【００１４】
さらに、本発明の広い範囲を示す数値範囲およびパラメータは、上記で議論されるように近似値であるが、実施例の節に示される数値は、可能な限り正確に報告される。しかし、このような数値が、測定装置および／または測定技術から生じる特定の誤差を本質的に含むことは、理解されるべきである。
【００１５】
前述のように、本発明は、多層体験用光学デバイスであって、少なくとも（ａ）第１の側および対向する第２の側を有する、第１のポリマー層と、（ｂ）（ａ）の第２の側に隣接して光に影響を及ぼす特性を有する、少なくとも１つの層と、（ｃ）第１のポリマー層（ａ）と同一または異なり、第１の側および対向する第２の側を有し、第１の側は、層（ｂ）に隣接する、第２のポリマー層と、（ｄ）少なくとも、（ｃ）の第２の側の周辺ゾーン上に配置される、低粘着性感圧式接着剤とを備え、体験用光学デバイスは、光学レンズに可逆的に接着性である、デバイスを対象とする。
【００１６】
用語「体験用光学デバイス」は、レンズ装着者が、一時的ベースで種々の光に影響を及ぼす特性を体験することが可能である、光学レンズ（すなわち、平面または処方レンズ）と併用される、光学デバイスを意味する。
【００１７】
用語「光に影響を及ぼす特性」または類似用語は、示される材料、例えば、フィルム層が、材料に衝突する、入射光−放射、例えば、可視光、紫外線（ＵＶ）および／または赤外線（ＩＲ）放射の吸収（または、濾過）によって修正可能であることを意味する。代替実施形態では、光に影響を及ぼす特性は、例えば、偏光子および／または二色性染料、例えば、フォトクロミック材料等の化学線への暴露に応じて色を変化させる、発色団の使用による、光吸収特性の変化、例えば、従来の染料等の固定色素の使用による、入射光放射の一部のみの透過、またはそのような光に影響を及ぼす機能のうちの１つまたはそれを上回る組み合わせを用いて、光が偏光されることができる。
【００１８】
本明細書で使用されるように、用語「線形に偏光する」は、光波電気ベクトルの振動を１つの方向または平面に制限することを意味する。本明細書で使用されるように、用語「二色性」は、少なくとも透過された放射の２つの直交平面偏光成分のうちの一方を他方よりも強く吸収することが可能であることを意味する。したがって、二色性材料は、透過された放射の２つの直交平面偏光成分のうちの一方を優先的に吸収可能であるが、二色性材料の分子が、好適に位置付けられるか、または配列されてはいない場合、透過された放射の正味線形偏光は、達成されないであろう。すなわち、二色性材料の分子の無作為位置付けのため、個々の分子の選択的吸収は、正味または全体的線形偏光効果が達成されないように相互に相殺するであろう。したがって、概して、正味線形偏光を達成するために、二色性材料の分子を好適に位置付けまたは配列することが必要である。
【００１９】
本明細書で使用されるように、用語「フォトクロミック」は、少なくとも化学線に応答して変動する、少なくとも可視光放射の吸収スペクトルを有することを意味する。したがって、従来のフォトクロミック要素は、概して、低光および輝度条件の両方における使用に非常に好適である。従来のフォトクロミック要素（線形偏光フィルタを含まない）が、概して、放射を線形に偏光するように適合されていないことは、言及されるべきである。すなわち、従来のフォトクロミック要素の吸収率は、いずれの状態でも、概して、２未満である。本明細書で使用されるように、用語「吸収率」は、第１の平面において線形に偏光された放射線の吸収と、第１の平面と直交する平面において線形に偏光された同一波長の放射線の吸収との比率を指し、第１の平面は、最高吸収を伴う平面と見なされる。したがって、従来のフォトクロミック要素は、典型的には、反射された光グレアを従来の線形偏光要素と同程度まで低減させることができない。
【００２０】
本発明の体験用光学デバイスは、第１のポリマー層（ａ）を備える。
【００２１】
第１のポリマー層（ａ）および／または第２のポリマー層（ｃ）は、材料が透明または光学的にクリアであることを前提として、熱硬化性および熱可塑性材料を含む、広範囲の種々のフィルム材料のいずれかから成る、ポリマーフィルムを含むことができる。例えば、ポリマー層（ａ）および／または（ｃ）は、ポリカーボネート、多環式アルケン、ポリウレタン、ポリ（尿素）ウレタン、ポリチオウレタン、ポリチオ（尿素）ウレタン、ポリオール（アリルカーボネート）、酢酸セルロース、二酢酸セルロース、三酢酸セルロース、酢酸プロピオン酸セルロース、酢酸酪酸セルロース、ポリ（酢酸ビニル）、ポリ（ビニルアルコール）、ポリ（塩化ビニル）、ポリ（塩化ビニリデン）、ポリ（エチレンテレフタレート）、ポリエステル、ポリスルホン、ポリオレフィン、そのコポリマー、またはそれらの混合物を含むことができる。本発明の特定の実施形態では、ポリマー層（ａ）および／または（ｃ）は、ポリ（エチレンテレフタレート）を含むことができる。
【００２２】
本発明の特定の実施形態では、ポリマー層（ａ）および／または（ｃ）の一方または両方とも、線形偏光性であって、ポリ（ビニルアルコール）、ポリ（ビニルブチラール）、テレフタル酸ポリエチレン、酢酸酪酸セルロース、二酢酸セルロース、三酢酸セルロース、ポリウレタン、ポリエーテル、ポリエステル、ポリアミド、ポリアルキル（メタ）アクリレート、それらの混合物および／またはそのコポリマーを含む、ポリマー成分を含む。
【００２３】
さらに、ポリマー層（ａ）および／または（ｃ）も、線形偏光性であることができ、１つまたはそれを上回る方向に配向され得る連続複屈折性マトリクス内に配置されるポリマー粒子の分散相から成る、光学フィルムを含んでもよい。分散相粒子のサイズおよび形状、分散相の体積率、フィルム厚、ならびに配向の量は、フィルム内の所望の拡散反射度および所望の波長の総放射透過率を達成するように選定される。そのようなフィルムおよびその調製は、米国特許第５，８６７，３１６号の第６欄の第４７行目から第２０欄の第５１行目に説明されており、その引用部分は、参照することによって本明細書に組み込まれる。
【００２４】
また、ポリマー層（ａ）および／または（ｃ）の一方または両方とも、線形偏光性であることができ、ポリビニルアルコール、ビニルブチラール、テレフタル酸ポリエチレン、ポリアルキル（メタ）アクリレート、ポリアミド、ポリ（アミドエーテル）ブロックコポリマー、ポリ（エステル−エーテル）ブロックコポリマー、ポリ（エーテル−ウレタン）ブロックコポリマー、ポリ（エーテル−ウレタン）ブロックコポリマー、および／またはポリ（エーテル−尿素）ブロックコポリマーの配向されたフィルムを含むことができる。線形偏光ポリマー層（ａ）および／または（ｃ）と併用されるような用語「配向されたフィルム」は、シートを備える１つまたはそれを上回る他の構造または構成要素が、その同一の一般的方向に沿って位置付けられる、または好適に配列されるように、フィルムが少なくとも、第１の一般的（整合の）方向を有することを意味する。本明細書で使用されるように、材料または構造の順序または整合を参照するとき、用語「一般的方向」は、材料、化合物、または構造の優勢配列または配向を指す。さらに、材料、化合物、または構造が、少なくとも１つの優勢配列を有することを前提として、材料、化合物、または構造の配列内にある程度の変動が存在する場合でも、材料、化合物、または構造が、一般的方向を有することができることは、当業者によって理解されるであろう。
【００２５】
ポリマー層（ａ）および／または（ｃ）の一方または両方とも、屈折力を有し得る。ポリマー層（ａ）は、要求される任意の屈折率を有することができる。特定の実施形態では、第１のポリマー層（ａ）は、多焦点またはプログレッシブレンズ等におけるように、異なる屈折力の領域を有する。
【００２６】
本発明の体験用光学デバイスはさらに、光に影響を及ぼす特性を有する、少なくとも１つの層（ｂ）を備える。特定の実施形態では、層（ｂ）は、ポリマー層（ａ）の第２の側に隣接する。光に影響を及ぼす特性を有する層（ｂ）は、フォトクロミック材料またはフォトクロミック二色性材料を伴う、ゲルまたは接着剤等の軟質ポリマーマトリクスを備えることができる。好適な材料は、限定ではないが、ポリビニルエーテル、アクリル接着剤、ポリアルファオレフィン、およびシリコーン接着剤、ならびにその混成物を含む、種々のゲルまたは接着剤を備えてもよい。好適な接着剤の実施例は、第ＰＣＴ／ＵＳ２００３／０２５６９０号の６ページの第２段落から８ページの第２段落（当該ページを含む）までに説明されている。
【００２７】
特定の実施形態では、層（ｂ）は、フォトクロミック材料を備える。本明細書で使用されるように、用語「フォトクロミック材料」は、熱的に可逆的および非熱的に可逆的（または、光可逆的）の両方のフォトクロミック化合物を含む。
【００２８】
フォトクロミック材料は、種々の有機および無機フォトクロミック材料のいずれかを含むことができる。フォトクロミック材料は、限定ではないが、以下の材料の種類：クロメン、例えば、ナフトピラン、ベンゾピラン、インデノナフトピラン、フェナントロピラン、またはそれらの混合物；スピロピラン、例えば、スピロ（ベンゾインドリン）ナフトピラン、スピロ（インドリン）ベンゾピラン、スピロ（インドリン）ナフトピラン、スピロ（インドリン）キノピランおよびスピロ（インドリン）ピラン）；オキサジン（例えば、スピロ（インドリン）ナフトキサジン、スピロ（インドリン）ピリドベンゾオキサジン、スピロ（ベンゾインドリン）ピリドベンゾオキサジン、スピロ（ベンゾインドリン）ナフトオキサジンおよびスピロ（インドリン）ベンゾオキサジン；水銀ジチゾネート、フルギド、フルギミド、およびそのようなフォトクロミック化合物の混合物を含むことができる。
【００２９】
そのようなフォトクロミック材料および補完的フォトクロミック材料は、米国特許第４，９３１，２２０号の第８欄第５２行目〜第２２欄第４０行目；米国特許第５，６４５，７６７号の第１欄第１０行目〜第１２欄第５７行目；米国特許第５，６５８，５０１号の第１欄第６４行目〜第１３欄第１７行目；米国特許第６，１５３，１２６号の第２欄第１８行目〜第８欄第６０行目；米国特許第６，２９６，７８５号の第２欄第４７行目〜第３１欄第５行目；米国特許第６，３４８，６０４号の第３欄第２６行目〜第１７欄第１５行目；および米国特許第６，３５３，１０２号の第１欄第６２行目〜第１１欄第６４行目に説明されており、前述の特許の開示は、参照することによって本明細書に組み込まれる。スピロ（インドリン）ピランはまた、出典「Ｔｅｃｈｎｉｑｕｅｓ  ｉｎ  Ｃｈｅｍｉｓｔｒｙ，  Ｖｏｌｕｍｅ  ＩＩＩ，「Ｐｈｏｔｏｃｈｒｏｍｉｓｍ」，Ｃｈａｐｔｅｒ  ３，  Ｇｌｅｎｎ  Ｈ．  Ｂｒｏｗｎ，  Ｅｄｉｔｏｒ，  Ｊｏｈｎ  Ｗｉｌｅｙ  ａｎｄ  Ｓｏｎｓ，  Ｉｎｃ．，  Ｎｅｗ  Ｙｏｒｋ，１９７１」に説明されている。
【００３０】
フォトクロミック材料はまた、重合可能なフォトクロミック材料（例えば、米国特許第５，１６６，３４５号の第３欄第３６行目〜第１４欄第３行目に開示される重合可能なナフトオキサジン；米国特許第５，２３６，９５８号の第１欄第４５行目〜第６欄第６５行目に開示される重合可能なスピロベンゾピラン；米国特許第５，２５２，７４２号の第１欄第４５行目〜第６欄第６５行目に開示される重合可能なスピロベンゾピランおよびスピロベンゾチオピラン；米国特許第５，３５９，０８５号の第５欄第２５行目〜第１９欄第５５行目に開示される重合可能なフルギド；米国特許第５，４８８，１１９号の第１欄第２９行目〜第７欄第６５行目に開示される重合可能なナフタセンジオン；米国特許第５，８２１，２８７号の第３欄第５行目〜第１１欄第３９行目に開示される重合可能なスピロオキサジン；米国特許第６，１１３，８１４号の第２欄第２３行目〜第２３欄第２９行目に開示される重合可能なポリアルコキシル化ナフトピラン；ならびに第ＷＯ９７／０５２１３号および米国特許第６，５５５，０２８号の第１欄第１６行目〜第２４欄第５６行目に開示される重合可能なフォトクロミック化合物）であり得る。重合可能なフォトクロミック材料に関する前述の特許の開示は、参照することによって本明細書に組み込まれる。
【００３１】
他の好適なフォトクロミック材料は、例えば、米国特許第３，３６１，７０６号の第２欄第２７行目〜第８欄第４３行目に記載される有機金属ジチオゾネート（ｏｒｇａｎｏ−ｍｅｔａｌ  ｄｉｔｈｉｏｚｏｎａｔｅ）（例えば、（アリールアゾ）−チオホルミックアリールヒドラジデート（例えば、水銀ジチオゾネート））；ならびに米国特許第４，９３１，２２０号の第１欄第３９行目〜第２２欄第４１行目に記載されるフルギドおよびフルギミド（例えば、３−フリルフルギドおよび３−チエニルフルギドならびに３−フリルフルギミドおよび３−チエニルフルギミド）を含み得、それらの開示は、参照することによって本明細書に組み込まれる。
【００３２】
光に影響を及ぼす材料は、フォトクロミック二色性材料を含んでもよい。本明細書に説明されるフォトクロミック化合物に関して本明細書で使用されるように、用語「フォトクロミック二色性」は、ある条件下において、フォトクロミックおよび二色性（すなわち、線形に偏光）特性の両方を示し、その特性は、器具類によって少なくとも検出可能であることを意味する。
【００３３】
故に、「フォトクロミック二色性化合物」は、ある条件下において、フォトクロミックおよび二色性（すなわち、線形に偏光）特性の両方を示す化合物であって、特性は、器具類によって少なくとも検出可能である。したがって、フォトクロミック二色性化合物は、少なくとも化学線に応答して変動する、少なくとも可視光放射の吸収スペクトルを有し、少なくとも透過された放射の２つの直交平面偏光成分のうちの一方を他方よりも強く吸収することが可能である（すなわち、二色性を呈することが可能である）。加えて、本明細書で後述される従来のフォトクロミック化合物と同様に、本明細書に開示されるフォトクロミック二色性化合物は、熱的に可逆的であることができる。すなわち、フォトクロミック二色性化合物は、化学線に応答して、第１の状態から第２の状態に切り替わり、熱エネルギーに応答して、第１の状態に戻ることができる。
【００３４】
例えば、フォトクロミック二色性化合物は、第１の吸収スペクトルを有する第１の状態、第１の吸収スペクトルと異なる第２の吸収スペクトルを有する第２の状態を有することができ、少なくとも化学線に応答して、第１の状態から第２の状態に切り替わり、熱エネルギーに応答して、第１の状態に戻るように適合されることができる。さらに、フォトクロミック二色性化合物は、第１の状態および第２の状態の一方または両方において、二色性（すなわち、線形偏光性）であることができる。例えば、要求されないが、フォトクロミック二色性化合物は、活性化状態において線形偏光性であって、退色またはフェード（すなわち、活性化されていない）状態において非偏光性であることができる。本明細書で使用されるように、用語「活性化状態」は、十分な化学線に暴露されると、フォトクロミック二色性化合物の少なくとも一部を第１の状態から第２の状態に切り替えさせる、フォトクロミック二色性化合物を指す。さらに、要求されないが、フォトクロミック二色性化合物は、第１および第２の状態の両方において二色性であることができる。本明細書において限定されないが、例えば、フォトクロミック二色性化合物は、活性化状態および退色状態の両方において、可視光放射を線形に偏光させることができる。さらに、フォトクロミック二色性化合物は、活性化状態において、可視光放射を線形に偏光させることができ、退色状態において、ＵＶ放射を線形に偏光させることができる。
【００３５】
本発明において使用するために好適なフォトクロミック二色性化合物の実施例は、限定ではないが、米国特許出願公開第２００５／００１２９９８Ａ１号の段落［００８９］〜［０３３９］（その開示は、参照することによって本明細書に組み込まれる）に詳細に説明されるものが挙げられ得る。
【００３６】
フォトクロミックまたはフォトクロミック二色性材料は、物理的混合、押出成形、鋳造等の任意の従来の方法によって、軟質ポリマーマトリクスと混合されてもよい。別の実施形態では、層（ｂ）は、光に影響を及ぼす特性を含む、自立フィルムを含んでもよい。
【００３７】
特定の実施形態では、体験用光学デバイスは、層（ａ）と（ｂ）との間および／または層（ｂ）と（ｃ）との間に介在される、随意の偏光層を備えてもよい。随意の偏光層は、前述の偏光層のいずれかであることができる。
【００３８】
体験用光学デバイスはさらに、第１の側および対向する第２の側を有する、第２のポリマー層（ｃ）を備えることができる。一実施形態では、該第１の側は、層（ｂ）に隣接する。第２のポリマー層は、前述のような第１のポリマー層（ａ）と同一または異なることができる。
【００３９】
本発明の体験用光学デバイスはさらに、少なくとも、層（ｃ）の第２の側の周辺ゾーン上に配置される、低粘着性感圧式接着剤（ＰＳＡ）を備える。低粘着性ＰＳＡは、接着剤が光学レンズの表面に可逆的に接着性であるように選択される。光学レンズからの体験用光学デバイスの除去に応じて、低粘着性ＰＳＡは、実質的に、光学レンズの表面から解放され、したがって、光学収差を光学レンズの表面に付与せず、かつ表面上に観察可能な接着剤残留物を残さない。
【００４０】
本発明において使用される低粘着性ＰＳＡの非限定的実施例として、ポリビニルエーテル、アクリル接着剤、ポリアルファオレフィン、およびシリコーン接着剤、ならびにその混成物等の接着剤が挙げられる。一非限定的実施形態では、低粘着性ＰＳＡは、無酸アクリル系感圧式接着剤を含む。特定の実施形態では、低粘着性ＰＳＡは、ＦＩＮＡＴ  Ｔｅｓｔ  Ｍｅｔｈｏｄ  ＦＴＭ  １を使用して判定されるように、０．５Ｎ／２５ｍｍ〜３．５Ｎ／２５ｍｍの剥離強度を呈する。
【００４１】
低粘着性感圧式接着層（ｄ）は、低粘着性感圧式接着層と高粘着性接着層との間に介在される、ポリマー層（支持フィルム）が存在する、多層フィルムとして提供されることができる。低粘着性感圧式接着層（ｄ）は、以下に説明されるように、光学レンズ表面に可逆的に接着するように適合される一方、高粘着性接着層は、ポリマー層（ｃ）に接着したままであるように適合される。好適な高粘着性接着剤の実施例として、当技術分野において周知のように、限定ではないが、熱的に硬化性アクリルウレタン接着剤および光硬化性アクリレート接着剤が挙げられる。さらに、本発明において使用するために好適な高粘着性接着剤の剥離強度は、体験用光学デバイスが、それが添着されている眼鏡レンズの表面から除去されると、高粘着性接着剤がポリマー支持フィルムとポリマー層（ｃ）との間の接着の完全性を維持しながら、低粘着性接着剤が、顕著な残留物を残さずに、レンズ表面から容易に除去されるような低粘着性接着剤の剥離強度に関連する。典型的には、高粘着性接着剤の剥離強度は、低粘着性接着剤の剥離強度を少なくとも５Ｎ／２５ｍｍ上回る。
【００４２】
低粘着性感圧式接着剤（ｄ）は、少なくとも、層（ｃ）の第２の側の周辺ゾーン上に配置される。周辺ゾーンは、光学レンズへの可逆的接着を可能にし、実質的に、レンズ装着者の視覚に干渉しない、任意の周辺ゾーンであってもよい。特定の実施形態では、体験用光学デバイスは、側頭部周辺ゾーンおよび鼻周辺ゾーンを備える。本明細書で使用されるように、用語「側頭部周辺ゾーン」は、眼鏡レンズに適用されると、眼鏡装着者の側頭部に最も近い、デバイスの外側周縁上の体験用光学デバイスの面積を意味する。用語「鼻周辺ゾーン」は、眼鏡レンズに適用されると、眼鏡装着者の鼻柱に最も近い、デバイスの内側周縁上の体験用光学デバイスの面積を意味する。本明細書の以下の図２の説明を参照されたい。非限定的実施形態では、本発明の体験用光学デバイスは、眼科用レンズ等、種々の光学レンズの幾何学形状に近似する形状に切断されてもよい。当技術分野において公知の任意のフィルム変換技法が、使用されてもよい。そのような技法の非限定的実施例として、ダイ切断、キス切断、またはレーザ切断が挙げられる。切断に先立って、低粘着性感圧式接着剤（ｄ）が、（ｃ）の第２の側に細片として適用されてもよい。そのような細片は、前述の形状が切断されるとき、低粘着性ＰＳＡが、体験用光学デバイスをレンズ表面に添着するために十分な周辺ゾーンの面積を被覆することを前提として、幅が変動してもよい。体験用光学デバイスはさらに、低粘着性感圧式接着剤（ｄ）に可逆的に接着性である可撤性ライナを備えてもよい。ライナは、体験用光学デバイスの形状およびサイズに合致してもよく、または物品の形状およびサイズを越えて延在してもよい。別個の可撤性ライナが、低粘着性ＰＳＡを備える周辺ゾーン毎に使用されてもよい。可撤性ライナは、透明フィルムライナまたは紙ライナを備えてもよい。可撤性ライナはさらに、低粘着性ＰＳＡを越えて延在するプルタブを備え、ライナの除去を促進してもよい。
【００４３】
ここで図１を参照すると、多層体験用光学デバイス１の一実施形態が、図１に示されており、存在し得る層の分解図を図示する。第１のポリマー層２は、光に影響を及ぼす特性を有する層３に隣接する。第２のポリマー層４は、層３の反対側に隣接する。層２、３、および４は、層３がさらに積層接着剤を備える、積層を備えてもよい。低粘着性感圧式接着剤５は、層３と反対の層４の表面の周辺側の一方または両方上に配置される。接着剤５に可逆的に接着性である、随意の可撤性ライナが、示されており、５の接着剤特性を保護し、かつ層４の表面をスクラッチおよび取扱から生じる他の欠陥から保護する役割を果たしてもよい。
【００４４】
ここで図２を参照すると、本発明の特定の実施形態では、体験用光学デバイスは、エンドユーザに対として提供されてもよい。図２は、一対の体験用光学デバイス７が可撤性ライナ６上に提供される、一実施形態を図示する。光学デバイスは、ユーザが一対の光学眼鏡を提供される配向において適用し得るように配向される。すなわち、低粘着性感圧式接着剤が、鼻周辺ゾーン５ａおよび側頭部周辺ゾーン５ｂ内に位置する。
【００４５】
前述のように、本発明はさらに、多層体験用光学デバイスであって、第１の側および対向する第２の側を有し、かつ光に影響を及ぼす特性を有する、少なくとも１つのポリマー層と、少なくとも、ポリマー層の第２の側の周辺ゾーン上に配置される低粘着性感圧式接着層とを備える、デバイスを提供する。体験用光学デバイスは、光学レンズに可逆的に接着性である。ポリマー層ならびに低粘着性感圧式接着層は、本明細書に前述の個別のポリマー層および低粘着性感圧式接着層のいずれかを含むことができる。
【００４６】
加えて、本発明は、多層体験用光学デバイスであって、（Ａ）第１の側および対向する第２の側を有する、第１のポリマー層と、（Ｂ）第１のポリマー層（Ａ）と同一または異なり、かつ第１の側および対向する第２の側を有する少なくとも１つの第２のポリマー層であって、層（Ｂ）の第１の側は、層（Ａ）の第２の側に隣接する、少なくとも１つの第２のポリマー層と、（Ｃ）随意に、第１のポリマー層（Ａ）と第２のポリマー層（Ｂ）との間に介在される、接着層と、（Ｄ）少なくとも、ポリマー層（Ｂ）の第２の側の周辺ゾーン上に配置される、低粘着性感圧式接着層とを備える、デバイスを対象とする。層（Ａ）、（Ｂ）、および（Ｃ）のうちの少なくとも１つは、光に影響を及ぼす特性を有する。体験用光学デバイスは、光学レンズに可逆的に接着性である。ポリマー層（Ａ）および（Ｂ）は、前述のもののいずれかを含むことができる。随意の接着層（Ｃ）は、当該技術分野において認識されている積層接着剤のいずれかを含むことができ、低粘着性感圧式接着層（Ｄ）は、前述の低粘着性接着剤のいずれかを含むことができる。
【００４７】
本発明は、以下の実施例により具体的に説明されるが、これは、例証にすぎないことが意図され、その中の多数の修正および変形例が、当業者に明白となるであろう。別様に規定されない限り、全ての部分および全ての割合は、重量比である。
【実施例】
【００４８】
（実施例１）：フォトクロミックフィルムの実験調製
【表１】
2016511842.tif 000003
１３−フェニル−３−（４−モルホリノフェニル）−１３，１３−ジメチル−インデノ［２′，３′：３，４］ナフト［１，２−ｂ］ピラン。
２３−（４−モルホリノフェニル）−３−（４−ブトキシフェニル）−１３，１３−ジメチル−インデノ［２′，３′：３，４］ナフト［１，２−ｂ］ピラン。
３第ＵＳ６，２９６，７８５号の実施例Ｄにおいて合成されたフォトクロミック染料。
４３−（４−メトキシフェニル）−３−（４−ブトキシフェニル）−６−メトキシ−１３，１３−ジメチル−インデノ［２′，３′：３，４］ナフト［１，２−ｂ］ピラン。
５ＢＡＳＦから利用可能な酸化防止剤
前述の表１に列挙された調合１−７のそれぞれの成分は、８．４ｇ酢酸エチル中に溶解され、６０℃まで加熱され、完全溶解が観察されるまで撹拌された。染料溶液は、次いで、専用の硬化性無酸アクリル積層接着剤の中に混合された。各混成物は、１５分間、磁気撹拌器で徹底的に混合された。
５ｃｍ２のテレフタル酸ポリエチレン（「ＰＥＴ」）フィルムの区分が、乾燥フィルム厚２５μｍを達成するために、５秒間、低速スピンレート５００ｒｐｍで、かつ５秒間、高速スピンレート１１００ｒｐｍで、接着剤混成物のそれぞれでスピンコーティングされた。
フィルムは、５分間、１４０℃で実験室規模の炉内で硬化され、続いて、周囲温度まで冷却された。フィルムは、次いで、積層スピード設定５および積層圧力３０ｐｓｉを使用し、ＣｈｅｍＩｎｓｔｒｕｍｅｎｔｓ，  Ｉｎｃ．によって製造されたモデルＬＬ１００Ｌａｂｏｒａｔｏｒｙ  Ｌａｍｉｎａｔｏｒを使用して、ＰＥＴフィルムの第２のシートに積層された。
楕円形形状が、手動式切断プレスを使用して、結果として生じる積層の区分から切断された。楕円形フィルムは、照射レベル６．７Ｗ／ｍ２においてＵＶアーク灯光源に暴露され、本時点において、フィルムは、比較的にクリアかつ無色状態から色合いが付けられた有色状態に変化したことに留意されたい。サンプルは、ＵＶ光源の除去に応じて、比較的にクリアかつ無色状態に戻った。
【００４９】
（実施例２）：自己接着型体験用フォトクロミック楕円形の調製
サイズＡ４シートの専用フォトクロミックＰＥＴ積層が、実施例１におけるように、手動式切断プレスを使用して、楕円形に切断された。サイズＡ４の両面接着剤が、対向する高粘着性および低粘着性表面を用いて得られた。両面接着剤の薄い細片が切断され、保護剥離ライナが、転写接着剤のより高い粘着性側から除去された。接着剤細片は、続いて、手を用いて、周辺ゾーンのそれぞれの最大被覆率が楕円形の縁から３ｍｍとなるように、楕円形の鼻周辺および側頭部周辺ゾーンに適用された。ＰＥＴ積層に接着された高粘着性接着剤は、ＦＩＮＡＴ  Ｔｅｓｔ  Ｍｅｔｈｏｄ  ＦＴＭ  １に従って測定されるように、剥離強度６．３Ｎ／２５ｍｍを呈した。縁を越えて延在する過剰接着剤フィルムは、レーザブレードを使用して除去された。
【００５０】
（実施例３）：光学レンズへの体験用フォトクロミック楕円形の接着
実施例２からの楕円形は、続いて、２つの異なる光学レンズ、すなわち、アリルジグリコールカーボネートレンズ材料と、Ｅｓｓｉｌｏｒ  Ｉｎｔｅｒｎａｔｉｏｎａｌから利用可能なＥｓｓｉｌｏｒ  ＴＲＩＯ（Ｒ）反射防止コーティングでコーティングされたアリルジグリコールカーボネートレンズに適用された。楕円形は、１７日間、レンズに接着されたままであり、その後、レンズから剥離によって除去された。レンズは、続いて、接着剤の結果による任意の観察可能視覚的欠陥に関して検査された。ストリップライト検査方法を使用して検査されたとき、レンズのいずれにも観察可能な残留接着剤ならびに視覚的欠陥は、存在しなかったことに留意されたい。光学レンズへの低粘着性接着剤の剥離強度は、ＦＩＮＡＴ  Ｔｅｓｔ  Ｍｅｔｈｏｄ  ＦＴＭ  １に従って、０．８Ｎ／２５ｍｍであった。
【００５１】
本発明は、その特定の実施形態の具体的詳細を参照して説明された。そのような詳細は、付随の請求項に含まれる範囲を除いて、かつその範囲において、本発明の範囲の限定と見なされるように意図されない。
【図１】
2016511842.tif 000004
【図２】
2016511842.tif 000005
【国際調査報告】
2016511842.tif 000006
2016511842.tif 000007